(57)【要約】【課題】  自動吐水制御装置を持つ洗面台で、検知対象物の進入角度、進入位置の如何に関らず、洗面台の上方空間に進入する検知対象物を確実に検知して吐水を行うようにする。【解決手段】  マイクロ波センサ７はアンテナ５１と、アンテナ５１を励振して電波ビームを放射させると共に受信した反射電波の信号からドップラ信号を生成するドライバ回路５３とを有する。ドライバ回路５３はアンテナ５１を操作して電波ビームの放射方向をシンクの上方空間領域からシンクの底部領域へ、又はこれとは逆に切替える機能を持つ。コントローラ部９はドライバ回路５３からドップラ信号を入力し、手の進入や手洗いの継続などを判断し、この判断結果に応じて水栓機構に接続されるバルブ５の開／閉制御を行ったり、電波ビームの放射方向の切替え指示をドライバ回路５３に与えたりする。【選択図】        図１０
2006219889.tif 000002
【特許請求の範囲】
【請求項１】
手洗空間及びその近傍領域での物体の有無に応じて水栓機構の制御を行う自動吐水制御装置において、
指向性を持つ電波ビームを放射すると共に、物体から反射した電波ビームを受信する電波センサであって、前記手洗空間が含む洗面台の、前記水栓機構から吐出された水の影響を受けない表面の部位又は該部位の近傍に配置された電波センサと、
前記電波センサからの出力信号に基づき、物体の有無を判別して、吐水の開始及び停止を行う吐水制御手段と、
を備え、
前記電波ビームは、指向性を有する電波ビームであり、その放射方向が前記電波ビームの最大強度を有する方向であって、且つ、前記洗面台に進入しようとする物体だけを検知するために、使用者と対面する方向に沿うＸ方向の成分、該洗面台の使用者と対面する方向と直交する側面方向に沿うＹ方向の成分、及び前記Ｘ、Ｙ方向の何れとも直交するＺ方向の成分を持つ自動吐水制御装置。
【請求項２】
請求項１記載の自動吐水制御装置において、
前記Ｘ、Ｙ、Ｚ方向の成分の間に、Ｘ方向成分＞Ｙ方向成分か、又はＺ方向成分＞Ｙ方向成分の関係が成立する自動吐水制御装置。
【請求項３】
請求項１記載の自動吐水制御装置において、
前記電波センサが、同時に複数方向に電波ビームを放射することが可能に構成されている自動吐水制御装置。
【請求項４】
請求項１記載の自動吐水制御装置において、
前記電波センサからの電波ビームの放射方向が、スキャニングされる自動吐水制御装置。
【請求項５】
請求項４記載の自動吐水制御装置において、
前記スキャニングが、前記Ｘ方向、又は前記Ｚ方向に対して行われる自動吐水制御装置。
【請求項６】
請求項１記載の自動吐水制御装置において、
前記電波センサから放射される電波ビームを、所望の方向へ反射させるための反射板を更に備える自動吐水制御装置。
【発明の詳細な説明】
【技術分野】
【０００１】
本発明は、手洗空間及びその近傍領域での対象物の有無に応じて水栓機構の制御を行う自動吐水制御装置に関する。
【背景技術】
【０００２】
従来、洗面台において、使い勝手が良く、コストパフォーマンスにも優れた自動吐水制御装置の提供を目的とした提案が行われている。上記提案は、電波センサの使用により陶器を透過した動体検知を行うことで、検知精度の劣化や誤検知の低減を図ると共に、センサ組込みの必要性の無いデザイン性に優れた水栓の使用や、既存の水栓を用いた自動化を可能にすること等を意図している。そのため、上記自動吐水制御装置は、動体検知に必要な電波による信号の発信手段と受信手段とを有する電波センサと、水の吐出を制御する電磁弁と、上記電波センサでのセンシング結果により上記電磁弁を開／閉制御するコントローラと、上記電波センサの感度を調整する調整手段とを備えると共に、上記電波センサを陶器曲面に着脱可能な着脱部をも備えた構成になっている（例えば特許文献１参照）。
【０００３】
【特許文献１】特開2003-064741号公報
【発明の開示】
【発明が解決しようとする課題】
【０００４】
ところで、自動水栓使用者の体の大きさは、例えば背が高くて腕が長い大人や、これとは逆に背が低くて腕も短い子供など、多様であり、それ故に、洗面台上方に差し出される手の差出し角度や、洗面台上方における手の差し出し位置も自動水栓使用者によって様々である。しかも、自動水栓使用者が、どの角度から洗面台上方に手を差し出してくるのか、また、洗面台上方のどの位置にまで手を伸ばしてくるのかという点についても、個々の自動水栓使用者によって相違するから、一律には論じられないし、予測が付かない。更に、個々の自動水栓使用者にとってみれば、洗面台や自動水栓の形状・規格・大きさ等が洗面台の設置環境によって様々であり、これから自分が使用しようとする自動水栓付の洗面台において、洗面台上方のどの辺りの位置に手を差し出せば、自動水栓からスムーズな吐水が得られるのか分からない。
【０００５】
そのため、上述した提案に係る自動吐水制御装置に限らず、従来の自動吐水制御装置にあっては、電波センサ（例えばドップラ効果を利用するドップラセンサ）から放射される電波の指向方向（指向角度）から外れた位置に、自動水栓使用者の手が差し出された場合には、電波センサが差し出された手を検知しないから、自動水栓使用者が、どんなに長い間、その差し出した手を差し出した位置から動かさずに待っていても吐水が得られないことになる。
【０００６】
また、上記電波センサに、ドップラ効果を利用するドップラセンサを採用した場合、手の移動方向に対し直交した電波ビームを送信した場合に、送信波の位相と受信波の位相とが変わらないために、上記ドップラセンサからドップラ出力を得ることができず、それにより吐水が行われないという不具合もある。
【０００７】
従って本発明の目的は、自動吐水制御装置を備える洗面台において、物体の進入角度、及び進入位置の如何に関らず、洗面台上方に進入する物体を確実に検知して吐水が行えるようにすることにある。
【課題を解決するための手段】
【０００８】
本発明に従う自動吐水制御装置は、手洗空間及びその近傍領域での物体の有無に応じて水栓機構の制御を行うもので、指向性を持つ電波ビームを放射すると共に、物体から反射した電波ビームを受信する電波センサであって、上記手洗空間が含む洗面台の、上記水栓機構から吐出された水の影響を受けない表面の部位又は該部位の近傍に配置された電波センサと、上記電波センサからの出力信号に基づき、物体の有無を判別して、吐水の開始及び停止を行う吐水制御手段と、を備え、上記電波ビームは、指向性を有する電波ビームであり、その放射方向が上記電波ビームの最大強度を有する方向であって、且つ、上記洗面台に進入しようとする物体だけを検知するために、使用者と対面する方向に沿うＸ方向の成分、該洗面台の使用者と対面する方向と直交する側面方向に沿うＹ方向の成分、及び上記Ｘ、Ｙ方向の何れとも直交するＺ方向の成分を持つ。ここで、上記水栓機構から吐出された水の影響を受けない表面の部位とは、例えば、上記洗面台の表面の上記水栓機構から吐出された水がかかり難い部位、或いは洗浄動作中の手から落下し散乱する飛散水のかかり難い部位を指し、該部位の近傍とは、例えば、上記洗面台の表面の部位に対応する裏面の部位を指す。
【０００９】
本発明に係る好適な実施形態では、上記Ｘ、Ｙ、Ｚ方向の成分の間に、Ｘ方向成分＞Ｙ方向成分か、又はＺ方向成分＞Ｙ方向成分の関係が成立する。
【００１０】
上記とは別の実施形態では、上記電波センサが、同時に複数方向に電波ビームを放射することが可能に構成されている。
【００１１】
また、上記とは別の実施形態では、上記電波センサからの電波ビームの放射方向が、スキャニングされる。
【００１２】
また、上記とは別の実施形態では、上記スキャニングが、上記Ｘ方向、又は上記Ｚ方向に対して行われる。
【００１３】
更に、上記とは別の実施形態では、上記電波センサから放射される電波ビームを、所望の方向へ反射させるための反射板を更に備える。
【発明の効果】
【００１４】
本発明によれば、自動吐水制御装置を備える洗面台において、物体の進入角度、及び進入位置の如何に関らず、洗面台上方に進入する物体を確実に検知して吐水が行えるようにすることができる。
【発明を実施するための最良の形態】
【００１５】
以下、本発明の実施の形態を、図面により詳細に説明する。
【００１６】
図１は、本発明の第１の実施形態に係る自動吐水制御装置を備えた洗面台の一方の側面から見た斜視図、図２は、図１のＡ−Ａ´線から見た洗面台要部の断面図である。
【００１７】
上記洗面台は、図１に示すように、シンク１と、水栓機構３と、バルブ５と、電波センサ７と、コントローラ部９と、を備える。
【００１８】
シンク１には、例えば図１で示すように、全体として略矩形状を呈するものが採用されている。シンク１の短辺側の断面形状は、図２で示すように、底部から上部開口に向かって拡がるような略台形状を呈する。シンク１の正面（前面）は、外部側面と内部側面とから成る二重構造を呈しており、該内部側面には、電波センサ７が取付けられる。シンク１の一方の側面には、水栓機構取付部１ａが形成されている。
【００１９】
水栓機構３は、例えば略円柱形状を呈し、給水管（図示しない）に連通する機構本体３ａと、該機構本体３ａからやや斜め下方に向かって延び、先端部に吐水口３ｃを持つ吐水部３ｂとから成る。水栓機構３は、吐水口３ｃをシンク１の上方に臨ませた状態で、機構本体３ａが水栓機構取付部１ａに嵌め込まれることにより、シンク１に立設して取付固定されている。
【００２０】
バルブ５は、配水管１１の途中の適宜な箇所に接続されている。配水管１１は、一端側が機構本体３ａを通じて吐水口３ｃに、他端側が機構本体３ａを通じて給水管（図示しない）に夫々連通する。バルブ５は、コントローラ部９からの指示（バルブ制御信号）に従って配水管１１を開／閉する。バルブ５が開くことにより、給水管（図示しない）を通じて供給される水が、配水管１１を通じて吐水口３ｃから略下方に向かって吐出される。
【００２１】
電波センサ７には、動体（例えば、シンク１の上方空間に進入する手３５や、吐水口３ｃから吐出される水流、或いは水滴）検知のためのマイクロ波センサが採用されている（以下、「電波センサ７」を、「マイクロ波センサ７」と表記する）。マイクロ波センサ７は、シンク１の上方空間への手３５の進入を検出するために、手３５が進入する空間領域へ斜め上向きに、即ち、図１（及び図２）で示した矢印１３方向を放射方向として、電波ビーム（マイクロ波）を放射する。マイクロ波センサ７が放射する電波ビーム１３は、或る程度の広がりを持ち、手３５の進入が検知できる或る程度広がった空間領域を、水栓機構３の正面のシンク１の内部から上方空間領域にかけて形成する。
【００２２】
そして、上記空間領域に手３５が進入すると、マイクロ波センサ７から放射された電波ビーム１３が手３５に反射されて、反射された反射電波をマイクロ波センサ７が受信する。マイクロ波センサ７は、放射される電波ビーム１３の励振信号と受信された反射電波の信号とに基づいて、両信号間の周波数差に等しい周波数を持つドップラ信号を生成し、該ドップラ信号を、コントローラ部９へ出力する。
【００２３】
本実施形態では、マイクロ波センサ７は、図２で示すような、断面が略くの字状を呈するマイクロ波センサ固定部材１５に取付固定された状態で、シンク１の内部側面に取付固定されている。なお、マイクロ波センサ固定部材１５は、シンク１の略水平面に取付固定されている。
【００２４】
マイクロ波センサ７については、陶器、即ち、シンク１の裏面に直接取り付けることも可能であるが、シンク面の平坦度合のばらつきや出来上がり角度のばらつきにより、センサ設置面が安定しない。そのため、電波ビームの放射角度を正確に設定するには、例えば既述のような断面が略くの字状のマイクロ波センサ固定部材１５を、シンク１の略水平面に取付固定し、その後に該マイクロ波センサ固定部材１５にマイクロ波センサ７を取付固定する必要がある。
【００２５】
コントローラ部９は、マイクロ波センサ７から出力されるドップラ信号に基づいて、手３５が上記空間領域に進入したか否か判断し、手３５が存在すると判断したら、バルブ開の制御信号を出力することによってバルブ５を開動作させ、水栓機構３から吐水口３ｃを通じて水を吐水させる。
【００２６】
上述した水栓機構３、バルブ５、マイクロ波センサ７、及びコントローラ部９により、本発明の第１の実施形態に係る自動吐水制御装置が構成される。
【００２７】
図３は、本発明の第１の実施形態に係る電波センサ、即ち、図１、及び図２で示したマイクロ波センサ７から放射される電波ビーム１３の放射方向が含む複数方向の成分に係わる説明図である。
【００２８】
図３（Ａ）において、マイクロ波センサ７から放射される電波ビーム１３の放射方向は、図３（Ｂ）に示すように、Ｘ（縦）方向成分１５、Ｙ（横）方向成分１７、及びＺ（高さ）方向成分１９の３次元方向の（ベクトル）成分を持つ。
【００２９】
洗浄を行おうとする手３５は、基本的には、洗面台の正面（電波センサ７の取付面）から進入する場合が最も多いが、手（３５）の進入方向は、洗面台（シンク）の形状や設置位置や洗面台の使用者の背の高さなどによって異なり、一律に決められるものではない。マイクロ波センサ７からの電波ビーム１３の放射方向を、Ｘ方向（成分）、Ｙ方向（成分）、及びＺ方向（成分）に分解した際に、これら３つの方向成分を持つ電波ビーム（１３）をマイクロ波センサ７から放射することにより、手（３５）がどんな方向からシンク（１）の上方空間に進入しても、手の移動方向と電波ビームの放射方向が直交することが無い。そのため、手（３５）の有無（手洗い動作の有り無し）を識別し得る検知信号（ドップラ信号）を取得することができる。
【００３０】
なお、電波ビーム（１３）の放射方向が、図３で示した例えばＹ（横）方向（成分）のみである場合、シンク１の上方空間への手（３５）の進入方向が、図３におけるＺＸ面にのみ含まれる方向であるときには、手（３５）の上記進入方向と、電波ビーム（１３）の放射方向とが直交することになる。そのため、マイクロ波センサ７から検知信号として得られるドップラ信号は手の凹凸の反射による若干量の反射のみの微量になるので、該ドップラ信号により、手（３５）の有無（手洗い動作の有り無し）を識別することは困難である。
【００３１】
図４は、本発明の第１の実施形態に係る電波センサ、即ち、図１、及び図２で示したマイクロ波センサ７から放射される電波ビーム１３の放射方向と、手（３５）の進入方向との関係を示す平面図である。
【００３２】
図４（Ａ）において、マイクロ波センサ７から放射される電波ビーム１３の放射方向は、図４（Ｂ）に示すように、Ｘ（縦）方向、Ｙ（横）方向、及びＺ（高さ）方向の３次元方向の成分を持っている。よって、図４（Ａ）で示すように、手３５が、例えば矢印２１方向からシンク１の上方空間に進入するような場合にも、或いは、矢印２３方向からシンク１の上方空間に進入するような場合にも、マイクロ波センサ７からのドップラ信号により、手３５の有無を識別することが可能である。
【００３３】
図５は、本発明の第１の実施形態に係る電波センサ、即ち、図１、及び図２で示したマイクロ波センサ７から放射される電波ビーム１３の放射方向と、手洗い動作との関係を示す平面図である。
【００３４】
図５において、例えば、マイクロ波センサ７からの電波ビーム１３の放射方向がＸ、Ｙ、Ｚ方向のうちの１方向の成分（例えば、Ｘ方向の成分）しか持っていなければ、以下のような不具合が生じる場合がある。
【００３５】
即ち、図５（Ａ）で示すように、片手３５のみをシンク１の上方空間に進入させて片手３５のみの手洗いを行う場合と、図５（Ｂ）で示すように、両手３５をシンク１の上方空間に進入させて両手３５の手洗いを行う場合とでは、電波ビーム１３が手３５の平に当るか、手３５の甲に当るかによって、マイクロ波センサ７が受ける反射波の反射方向が変わることがある。片手３５のみの手洗いの場合は、両手３５の手洗いの場合に比べると手の厚み方向の面積が違うため、反射信号が小さく、反射波の方向がマイクロ波センサ７の方向と完全に一致しない場合には、信号が得られないことも起り得る。
【００３６】
よって、電波ビーム１３の放射方向がＸ、Ｙ、Ｚ方向のうちの１方向の成分（例えば、Ｘ方向の成分）しか持っていない場合には、シンク１の上方空間における手の有無、或いは手洗い動作の有り無しを、明確に検知することが不可能になる。
【００３７】
しかし、図５（Ｃ）で示すように、電波ビーム１３の放射方向が、Ｘ（縦）方向、Ｙ（横）方向、及びＺ（高さ）方向の３次元方向の成分を持っていれば、マイクロ波センサ７は、必ず手３からの反射波を入射して、ドップラ信号を生成することができる。
【００３８】
なお、図５において、矢印２５、２７は、何れもシンク１の上方空間への手３５の進入方向を示す。
【００３９】
図６は、本発明の第１の実施形態に係る電波センサ、即ち、図１、及び図２で示したマイクロ波センサ７から放射される電波ビーム１３の放射方向と、シンク１の上方空間に進入する手３５の進入角度との関係を示す図１のＡ−Ａ´線から見た洗面台要部の断面図である。
【００４０】
図６（Ａ）において、洗面台の使用者が、例えば大人のように比較的背の高い使用者である場合には、手３５は、矢印２９で示すような角度で、シンク１の上方空間に進入する。一方、洗面台の使用者が、例えば子供のように比較的背の低い使用者である場合には、手３５は、矢印３１で示すような角度で、シンク１の上方空間に進入する。このように、洗面台の使用者の身長の高低によって、シンク１の上方空間への手３５の進入角度が相違する場合、マイクロ波センサ７から放射される電波ビーム１３の放射方向がＸ、Ｙ、Ｚ方向のうちの１方向の成分（例えば、Ｘ方向の成分）しか持っていなければ、マイクロ波センサ７に入射する反射波が得られないことも起り得る。
【００４１】
しかし、図６（Ｂ）で示すように、電波ビーム１３の放射方向が、Ｘ（縦）方向、Ｙ（横）方向、及びＺ（高さ）方向の３次元方向の成分を持っていれば、マイクロ波センサ７は、必ず手３からの反射波を入射して、ドップラ信号を生成することができる。
【００４２】
ところで、手３５の進入角度（進入方向）と、電波ビーム１３の放射方向とが同一になると、マイクロ波センサ７へ入射する反射波の電力を最大にして、マイクロ波センサ７における手３５の検知感度を大きくすることが可能になる。洗面台の使用者は、シンク１の前面側から後面側（即ち、Ｘ方向）に進入するので、電波ビーム１３の放射方向についても、Ｘ方向成分が強いことが必要である。また、シンク１は、床面から例えば７００ｍｍ程度の高さに取付けられるため、洗面台の使用者は、図６（Ａ）に示すように、手３５をシンク１の前面から下方に差し出すことが多い。従って、電波ビーム１３の放射方向のうちのＺ成分についても、強いことが求められる。
【００４３】
図７は、マイクロ波センサ７から放射される電波ビーム１３の放射方向が持つ３次元のベクトル成分と、手３５の進入方向を示すベクトル成分との関係を示す説明図である。
【００４４】
図７（ａ）に示すように、手３５の進入は、シンク１の正面側から背面側に向かって、且つ、上方から下方に向かって行われる。電波ビーム１３の放射方向と、手３５の進入方向とが同一のとき、マイクロ波センサ７は、最も強い反射波を得ることができるので、電波ビーム１３の放射方向であるＸ方向、Ｙ方向、及びＺ方向の成分を有し、Ｚ方向の成分を強くする（大きくする）ことによって、マイクロ波センサ７に入射する反射波の電力を大きくし、手３５の有無の検知精度を向上させることが可能になる。また、図７（ｂ）は、手の進入方向が洗面台の上面と略平行であるために、電波ビーム１３の放射方向であるＸ方向、Ｙ方向、Ｚ方向のうちＸ方向成分とＺ方向成分とを有し、Ｘ方向を大きくすると手の有無の検知精度を向上させることが可能である。
【００４５】
電波ビーム１３の放射方向が持つ３次元方向の（ベクトル）成分において、Ｘ（方向）成分＞Ｙ（方向）成分、若しくは、Ｚ（成分）＞Ｙ（方向）成分の関係が成立する場合に、マイクロ波センサ７に入射する反射波の電力が大きくなる。換言すれば、電波ビーム１３の放射方向におけるシンク１の横方向に対応する成分、即ち、Ｙ方向の成分については、手３５のシンク１の上方空間への進入に起因する反射波の電力増大への寄与が無い。
【００４６】
なお、電波ビーム１３の放射方向が持つ３次元方向の（ベクトル）成分同士の大小関係において、シンク１に対するマイクロ波センサ７の設置角度が鉛直に近似している場合には、
【００４７】
Ｘ（方向）成分≧Ｚ（方向）成分＞Ｙ（方向）成分の関係が成立するときにも、マイクロ波センサ７に入射する反射波の電力が大きくすることができる。
【００４８】
図８及び図９は、本発明の第１の実施形態に係る自動吐水制御装置を備えた洗面台の、トイレブース内での設置位置を示す要部平面図である。
【００４９】
図８に示す例では、上述したシンク１が、トイレブース３９内の便器装置３７に向かって右側の壁面に密着させた状態で設置されており、マイクロ波センサ７からは、電波ビーム１３が、右側の壁面に向かって放射され、洗面台の使用者の手３５も、矢印４１で示すように、右側の壁面に向かってシンク１の上方空間に差し出される。一方、図９に示す例では、シンク１が、トイレブース４３内の便器装置４５に向かって左側の壁面に密着させた状態で設置されており、マイクロ波センサ７からは、電波ビーム１３が、左側の壁面に向かって放射され、洗面台の使用者の手３５も、矢印４９で示すように、左側の壁面に向かってシンク１の上方空間に差し出される。
【００５０】
このように、シンクのトイレブース内での設置位置が、便器装置に向かって右側の壁面に密着させた状態で設置されているか、或いは、便器装置に向かって左側の壁面に密着させた状態で設置されているかによって、洗面台の使用者の手の、シンクの上方空間への進入方向が異なる。しかし、マイクロ波センサ７から放射される電波ビーム１３の放射方向が、Ｘ方向、Ｙ方向、及びＺ方向の（３次元の）ベクトル成分を持つため、トイレブース内における洗面台の設置位置の如何に拘らず、マイクロ波センサ７は、必ず、手（３５）からの反射波を得ることが可能である。
【００５１】
図１０は、本発明の第１の実施形態に係る自動吐水制御装置の電気回路部分の構成を示すブロック図である。
【００５２】
図１０に示すように、上述したマイクロ波センサ７は、マイクロ波アンテナ５１と、このマイクロ波アンテナ５１を励振して電波ビームを放射させると共に受信された反射電波の信号からドップラ信号を生成するドライバ回路５３と、を有する。ドライバ回路５３は、また、マイクロ波アンテナ５１を操作することにより、電波ビームの放射方向を、上述した空間領域（即ち、シンク１の上方空間領域）から上記とは別の空間領域（例えば、シンク１の底部領域）へ、又は上記とは別の空間領域から上述した空間領域へ、夫々切替える機能をも持つ。
【００５３】
ドライバ回路５３は、コントローラ部９に接続される。コントローラ部９は、ドライバ回路５３からドップラ信号を入力し、該ドップラ信号に基づいて、手３５の進入や手洗いの継続などを判断し、この判断結果に応じて、既に説明したように水栓機構３に接続されるバルブ５の開／閉制御を行ったり、上記電波ビームの放射方向の切替え指示をドライバ回路５３に与えたりする。
【００５４】
図１１は、本発明の第１の実施形態に係わる電波センサ７の詳細を示すブロック図である。
【００５５】
図１１において、発振回路５５で生成された電磁波は、分岐回路５７を通じて送信アンテナ６３側と、検波回路５９側とに分岐され、送信アンテナ６３側に伝送された電磁波は、送信波として送信アンテナ６３から空間に放射される。この送信波がドップラセンサ６７側に向かって速度Ｖで移動中の手３５に当って反射波になると、該反射波は、ドップラセンサ６７側に向かって伝播し、受信アンテナ６５によって受信される。受信アンテナ６５によって受信された反射波、即ち、電磁波は、分岐回路５７を通じて検波回路５９に出力され、検波回路５９において、上記分岐された送信波の一部を基準波形として、該送信波の一部とミキシングされる。検波回路５９からの出力は、下記の（１）式に示すように、物体、即ち、手３５の移動速度Ｖに比例した周波数成分を持つ信号であり、該信号は、物体、即ち、手３５とドップラセンサ６７との間の距離が近くなるほど大きな振幅変化を得ることができる。
【００５６】
δＦ＝│Ｆｓ−Ｆｂ│＝２×Ｆｓ×ｖ／ｃ      （ｃ＞＞ｖのとき）・・・（１）
【００５７】
上記（１）式において、δＦはドップラ周波数であり、Ｆｓは送信波の周波数であり、Ｆｂは受信波の周波数であり、Ｖは物体（即ち、手３５）の移動速度であり、ｃは光速（３００×１０１６ｍ／ｓ）である。
【００５８】
図１２は、例えば、図１、及び図２で示したマイクロ波センサ７からの電波ビーム１３の放射方向が、Ｘ（縦）方向、Ｙ（横）方向、Ｚ（垂直）方向の３つの（ベクトル）成分を有している場合の、マイクロ波センサ７から出力されるドップラ信号の波形図である。マイクロ波センサ７からの出力信号であるドップラ信号の振幅を観測することができれば、それによってＳ／Ｎ比が得られるので、該ドップラ信号により、手３５の有無（手３５の手洗い動作の有り無し）を確認することが可能になる。
【００５９】
図１２において、図１２（Ａ）は、手３５のシンク１の上方空間への進入方向と、マイクロ波センサ７からの電波ビーム１３の放射方向とが同一の場合の、ドップラ信号の波形を示すもので、この場合の振幅の最大値は、略６７０ｍｖに達している。手３５のシンク１の上方空間への進入方向と、マイクロ波センサ７からの電波ビーム１３の放射方向とが同一の場合に、マイクロ波センサ７から得られるドップラ信号の振幅が最大になる。よって、充分な大きさのＳ／Ｎ比が得られるので、該ドップラ信号により、手３５の有無（手３５の手洗い動作の有り無し）を確認することができる。
【００６０】
図１２（Ｂ）は、手３５のシンク１の上方への進入方向と、マイクロ波センサ７からの電波ビーム１３の放射方向とが同一ではないが、電波ビーム１３の放射方向のＸ方向の成分、Ｙ方向の成分、及びＺ方向の成分の何れもが０でない場合の、ドップラ信号の波形を示すもので、この場合の振幅の最大値は、略３５０ｍｖである。このように、手３５のシンク１の上方空間への進入方向と、マイクロ波センサ７からの電波ビーム１３の放射方向とが同一でない場合には、図１２（Ａ）で示した例と比較して、明らかにドップラ信号の振幅は小さくはなるが、或る程度の大きさのＳ／Ｎ比が得られるので、該ドップラ信号により、手３５の有無（手３５の手洗い動作の有り無し）を確認することができる。
【００６１】
図１２（Ｃ）は、手３５のシンク１の上方空間への進入方向と、マイクロ波センサ７からの電波ビーム１３の放射方向とが同一ではなく、電波ビーム１３の放射方向のＸ方向の成分、及びＺ方向の成分が０で、Ｙ方向の成分だけが０でない場合の、ドップラ信号の波形を示すもので、この場合の振幅の最大値は、略４０ｍｖである。
【００６２】
このように、手３５のシンク１の上方空間への進入方向と、マイクロ波センサ７からの電波ビーム１３の放射方向とが同一でなく、且つ、電波ビーム１３の放射方向の２つの方向成分（Ｘ方向成分、Ｚ方向成分）が０である場合には、ドップラ信号の振幅はノイズの振幅と略同一レベルになるので、Ｓ／Ｎ比は略１になる。よって、該ドップラ信号により、手３５の有無（手３５の手洗い動作の有り無し）を確認することはできない。
【００６３】
図１３は、本発明の第２の実施形態に係る自動吐水制御装置を備えた洗面台の一方の側面から見た斜視図である。
【００６４】
本実施形態では、マイクロ波センサに、スキャニングを行うこと無しに、図１３（Ａ）で示すような複数の方向に電波ビームの放射が行える構成のマイクロ波センサ６９を備える点で、図１、及び図２で示した本発明の第１の実施形態に係る自動吐水制御装置を備えた洗面台と構成が相違する。その他の構成については、図１、及び図２で示した本発明の第１の実施形態に係る自動吐水制御装置を備えた洗面台と同様である。
【００６５】
即ち、マイクロ波センサ６９は、図１３（Ａ）に示すように、符号７１で示す第１の電波ビームと、符号７３で示す第２の電波ビームとを、同時に放射する。第１の電波ビーム７１、及び第２の電波ビーム７３の放射方向は、夫々、図１３（Ｂ）で示すような、Ｘ（方向）、Ｙ（方向）、及びＺ（方向）の３次元のベクトル成分を持つのが最良であるが、両電波ビーム併せて３方向の成分を持つように設定すれば良い。
【００６６】
このように、本実施形態に係るマイクロ波センサ６９は、夫々が、Ｘ、Ｙ、及びＺの３つのベクトル成分を持つ、放射方向の異なる２つの電波ビーム７１、７３を同時に放射することができるので、本発明の第１の実施形態に係るマイクロ波センサ７よりも、シンク１の上方空間に進入する手（３５）の有無の検知精度を更に向上させることが可能である。
【００６７】
図１４は、本発明の第２の実施形態に係るマイクロ波センサ６９が備えるアンテナの構成を示す斜視図である。
【００６８】
上記アンテナは、１つのアンテナで、スキャンすること無しに複数の固定放射方向（放射パターン）を持つ態様のもので、図１４に示すように、矩形平板状の基板７５と、所定距離を隔てて基板７５上に配置されている２個の給電素子７７、７９と、基板７５上に配置されている２つの給電ラインＡ、Ｂと、を備える。基板７５を構成する材質としては、例えば所定の比誘電率εｒと、所定の誘電正接と、所定の厚みを有するガラスエポキシ材が用いられる。給電素子７７と給電素子７９との間の距離は、例えばλ０／２（λ０は空中を進む電波の波長であり、光速／周波数で表す）に、また、給電ラインＡの長さと給電ラインＢの長さとの差は、例えばλｇ／２（λｇは比誘電率εｒの基板上を進む電波の波長であり、λ０／√εｒで表す）（給電素子７７、７９間の位相差を例えば１８０ｄｅｇに設定するため）に、夫々設定されている。ここで、アンテナの励振方向をＸ方向、アンテナアレイ方向をＹ方向、基板の厚み方向をＺ方向とする。
【００６９】
図１５、及び図１６は、図１４で示した構成のアンテナから放射される電波ビームの放射パターンを示す説明図である。
【００７０】
即ち、図１５は、図１６においてφ＝９０°に設定したときの、即ち、図１６で示したｙｚ面での、図１４で示したアンテナから放射される電波ビームの放射パターンを示している。２つの放射パターンのうちの一方は、中心から時計方向に略２５°ずれた位置にあり、他方は、中心から反時計方向に略２５°ずれた位置にある。
【００７１】
図１７は、パッチアンテナにおいて、基板上に配置されている２個の給電素子の配置と、これら２個の給電素子からの電波ビームの放射パターンとの関係を示す説明図、図１８は、パッチアンテナにおける給電位相差による電波ビームの放射方向の変化を示す図である。
【００７２】
図１７に示すように、パッチアンテナの基板（図示しない）上における給電素子８１と給電素子８３との間隔の大きさにより、給電素子８１からの電波ビームの放射方向と、給電素子８３からの電波ビームの放射方向との間に角度θの開きが生じる。なお、電波ビームのζ方向の角度と、給電位相差との間には、図１８に示すような関係がある。
【００７３】
図１９は、本発明の第３の実施形態に係る自動吐水制御装置を備えた洗面台の一方の側面から見た斜視図である。
【００７４】
本実施形態では、マイクロ波センサに、図１９（Ａ）で示すような、鉛直方向への電波ビーム放射のスキャニングと、図１９（Ｃ）で示すような、水平方向への電波ビーム放射のスキャニングとが行える構成のマイクロ波センサ８５を備える点で、上述した本発明の第１、第２の実施形態に係る自動吐水制御装置を備えた洗面台と構成が相違する。その他の構成については、本発明の第１、第２の実施形態に係る自動吐水制御装置を備えた洗面台と同様である。
【００７５】
即ち、マイクロ波センサ８５は、図１９（Ａ）に示すように、鉛直方向に、所定の角度間隔で電波ビーム８７放射のスキャニングを行うと共に、図１９（Ｃ）に示すように、水平方向に、所定の角度間隔で電波ビーム８９放射のスキャニングを行う。
【００７６】
このように、マイクロ波センサ８５が、鉛直方向や水平方向に、電波ビーム放射のスキャニングを行うことにより、夫々の電波ビームの放射方向が、図１９（Ｂ）で示すように、Ｘ、Ｙ、Ｚの３つのベクトル成分を持つので、たとえ、シンク１の形状の違いやシンク１の設置条件（設置環境）の違いによって、どのような方向から洗面台使用者の手がシンク１の上方空間へ進入した場合でも、該手の進入を確実に検知することが可能である。
【００７７】
よって、様々な形状や型式のシンクにも対応可能であるのみならず、シンク１の設置箇所がマイクロ波センサのセンシングの性能によって制約を受けることがなく、汎用性の高い、自動吐水制御装置を備えた洗面台の提供が可能になる。
【００７８】
また、上記スキャニングを行っている中で、マイクロ波センサが受ける反射波の電力が最大になる電波ビームの放射方向を選択することができ、該選択により、シンク１の上方空間へ進入する手の検知精度の向上を図ることも可能になる。
【００７９】
なお、マイクロ波センサ８５からの電波ビーム放射のスキャニングを、図１９（Ａ）に示すように鉛直方向にするか、或いは、図１９（Ｃ）に示すように水平方向にするかは、シンク１の形状や、設置条件により選択することとしても良い。
【００８０】
図２０は、本発明の第４の実施形態に係る自動吐水制御装置を備えた洗面台の一方の側面から見た斜視図である。
【００８１】
本実施形態では、マイクロ波センサ９１から放射される電波ビームを反射して、所定方向へ導く反射板９３を備える点で、上述した本発明の第１、第２、第３の実施形態に係る自動吐水制御装置を備えた洗面台と構成が相違する。その他の構成については、本発明の第１、第２、第３の実施形態に係る自動吐水制御装置を備えた洗面台と同様である。
【００８２】
反射板９３は、図２０（Ａ）に示すように、水栓機構取付部１ａにおける機構本体３ａの近傍位置に、マイクロ波センサ９１から矢印９５方向へ放射される電波ビームを、矢印９７方向へ放射方向を変更すべく、設置角度を調整されて設けられている。なお、反射板９３には、電波ビ−ムを反射させ得る金属板が採用される。反射板９３の設置角度は、図２０（Ｂ）に示す電波ビームの放射方向が持つＸ、Ｙ、Ｚの３つのベクトル成分のうち、シンク１の上方空間への手の進入方向に関連するベクトル成分が増大するような角度に調整することが望ましい。
【００８３】
例えば、シンク１の正面方向からシンク１の上方空間に手が進入する場合には、上記Ｘ方向の成分が増大するように、反射板９３を介してマイクロ波センサ９１からの電波ビームの放射方向が調整される。
【００８４】
本実施形態によれば、マイクロ波センサ９１の設置位置が、シンク１の上方空間に進入する手の進入方向にそぐわない場合や、マイクロ波センサ９１が取付けられるシンク１の形状によっては、シンク１の上方空間への手の進入方向が、通常想定される手の進入方向と異なる場合であっても、反射板の設置角度を調整することにより、確実に手を検知することが可能である。
【００８５】
図２１は、本発明に係る自動吐水制御装置を備えた洗面台と、従来の自動吐水制御装置を備えた洗面台との構成上の違いを示す説明図である。
【００８６】
図２１において、図２１（Ａ）、及び図２１（Ｂ）は、夫々従来の自動吐水制御装置を備えた洗面台の例を示す説明図であり、図２１（Ｃ）が、本発明に係る自動吐水制御装置を備えた洗面台の例を示す説明図である。
【００８７】
図２１（Ａ）で示す従来の例では、電波センサ９９の設置位置は、手洗い鉢（シンク）１０１の下側であり、電波センサ９９からの電波ビームの放射方向は、床面に対して垂直方向（即ち、鉛直方向）に設定されている。
【００８８】
次に、図２１（Ｂ）で示す別の従来の例では、電波センサ９９は、単独ではなく、水栓機構（図示しない）に連通する給水管（図示しない）の途中に設置される電磁弁ユニット（図示しない）などと一体的に構成されており、電波センサ９９からの電波ビームの放射方向は、鉛直方向に設定されている（図２１（Ａ）、（Ｂ）の構成の詳細については、特開２００４−２３２２８２号公報を参照）。
【００８９】
図２１（Ａ）で示す構成の洗面台では、電波センサ９９からの電波ビームの放射方向が、鉛直方向に設定されているが故に、水栓機構（図示しない）の吐水口（図示しない）から吐出された水が、手洗い鉢１０１の最下位置（底面）の排水口１０３を通じて手洗い鉢１０１から略完全に排出され終わるまで、電波センサ９９が水の検知を継続してしまう。そのため、手１０５が手洗い鉢１０１から退出しても、コントローラ部（図示しない）は検知対象物である手１０５が無くなったと判断することができない。また、電波センサの取付位置が洗面器の下方の後部であり、前方に向かって電波ビームを放射しているため、使用者の手だけでなく、体（上半身）にも電波ビームが到達することになる。その結果、電波ビームの当る面積が手＜＜体であるにも拘らず、電波センサ"手"間距離≒（＞）電波センサ"体"間距離であるために、後者の出力強度の方が大きく、出力差によって検知対象物までの距離を検出する方式では、手の進入だけを検知することができない。従って、使用者が洗面ボールに手を出すよりも洗面ボールに近づいた瞬間に吐水を開始することになり、洗面器に隣接して設置している鏡を利用したり、収納棚を利用する場合に水跳ねのある使い勝手の悪い自動吐水制御装置となる。図２１（Ｂ）についても、電波センサの設置位置を水栓側に変更した方が良い。
【００９０】
また、図２１（Ｂ）で示す構成の洗面台では、電波センサ９９と、手洗い鉢１０３との間が大きく開いているため、電波センサ９９からの電波ビームのうちの、手洗い鉢１０１の外壁に当って反射する成分が、洗面台使用者１０７の足に当って反射して電波センサ９９に入射するので、コントローラ部（図示しない）が、洗面台使用者１０７の足の動きを、該洗面台使用者１０７の手の動作と誤認してしまう虞がある。
【００９１】
それに比較して、本発明に係る自動吐水制御装置を備えた洗面台では、図２１（Ｃ）に示すように、電波センサ９９が、手洗い鉢１０１を構成する陶器内部、或いは手洗い鉢１０１を支持するカウンタ（図示しない）内部に設置されるので、電波センサ９９からの電波ビームのうちの、手洗い鉢１０１の外壁を透過する成分が、無視できるほど小さいから、洗面台使用者１０７の足に当って反射した反射波の成分により、コントローラ部（図示しない）が、洗面台使用者１０７の足の動きを、該洗面台使用者１０７の手の動作と誤認してしまう虞は無い。
【００９２】
図２２は、本発明に係る自動吐水制御装置を備えた洗面台と、従来の自動吐水制御装置を備えた洗面台との構成上の違いを示す別の説明図である。
【００９３】
図２２において、図２２（Ａ）は、従来の自動吐水制御装置を備えた洗面台の例を示す説明図、図２２（Ｂ）は、図２２（Ａ）で示した洗面台が備える電波センサからの出力信号のレベルを示す説明図である。また、図２２（Ｃ）は、本発明に係る自動吐水制御装置を備えた洗面台の例を示す説明図、図２２（Ｄ）は、図２２（Ｃ）で示した洗面台が備える電波センサからの出力信号のレベルを示す説明図である。
【００９４】
図２２（Ａ）で示す従来の例では、電波センサが、送信部１１１と受信部１１３とに分離されており、送信部１１１と、受信部１１３とは、夫々手洗い鉢１１５の周縁部の内部側面であって、手洗い鉢１１５の略中心に位置する排水口１１７を通る直線上の位置に配置されている。そして、送信部１１１からの電波ビーム１１９は、水栓機構（図示しない）の吐水口（図示しない）から吐出される整流水を避けるように、放射方向が２方向に設定されている。この構成において、検知対象物である手１２１が、送信部１１１と受信部１１３との対向している空間領域に進入することにより、受信部１１３に受信されるべき送信部１１１からの電波ビーム１１９が遮断されることで、コントローラ部（図示しない）が、該手１２１の存在を認識する（図２２（Ａ）の構成の詳細については、特開２００４−１２４３６３号公報を参照）。
【００９５】
しかし、上記構成では、受信部１１３の設置位置が、送信部１１１から放射される電波ビーム１１９の進行方向上に限定される上に、手洗い鉢１１５の上端縁よりも上方に、検知対象物である手１２１の検知領域を設定することができない。また、電波ビームをどこで遮っても同一の信号を得るために、水栓装置から離れた手を検知して吐水する。また、検知対象物である手１２１が、大人の手であるか、子供の手であるか、手を揃えているか、指を開いているかによって、送信部１１１から遮断される電波ビーム１１９の遮断量が異なるので、コントローラ部（図示しない）は、電波ビ−ム１１９の遮断量の大きさを基準として検知対象物である手１１９の有無を判断することができない。因みに、子供の手よりも大人の手の方が、指を開いているよりも手を揃えている方が、送信部１１１と受信部１１３との間の空間において送信部１１１からの電波ビーム１１９を遮る面積が大きくなるので、電波ビーム１１９の伝達を阻害する物体として大きく作用する。
【００９６】
図２２（Ｂ）において、符号１２３で示す波形は、子供の手が送信部１１１と受信部１１３との間に存在していないときの受信部１１３における受信電力を示し、符号１２５で示す波形は、子供の手が送信部１１１と受信部１１３との間に存在しているときの受信部１１３における受信電力を示す。両者を比較対照すると、受信電力強度の差があまりないことが明らかである。
【００９７】
一方、図２２（Ｃ）で示す本発明に係る自動吐水制御装置を備えた洗面台の例では、電波センサ１２７が、図示のように、送信部と受信部とが一体化された構成になっている。そのため、電波センサ１２７からの電波ビーム１３１の放射方向を調整するだけで、検知対象物である手１２９の検知領域を、手洗い鉢１３３内部でも、或いは、手洗い鉢１３３の上方空間領域でも自在に設定することが可能である。しかも、本発明では、コントローラ部（図示しない）は、電波センサ１２７に入射する反射波の受信強度のみならず、電波センサ１２７から出力されるドップラ信号の周波数成分をも考慮して、検知対象物である手の有無等の判断を行うこととしているので、大人の手か子供の手かによって、検知精度が影響を受けることはない。
【００９８】
図２２（Ｄ）において、符号１３５で示す波形は、子供の手が検知領域に存在しているときの、電波センサ１２７から出力されるドップラ信号の、オシロスコープで確認した波形であり、符号１３７で示す波形は、子供の手が検知領域に存在しているときの、電波センサ１２７から出力されるドップラ信号の、スペクトラムアナライザで確認した波形である。何れの波形とも、振幅が小さくても、手の移動による周波数成分の検知が可能であることを示している。
【００９９】
以上、本発明の好適な実施形態を説明したが、これらは本発明の説明のための例示であって、本発明の範囲をこれらの実施形態にのみ限定する趣旨ではない。本発明は、他の種々の形態でも実施することが可能である。
【０１００】
例えば、複数のマイクロ波センサを、夫々からの電波ビームが異なる方向に放射されるよう、シンクの適宜箇所に設置することにより、放射方向がＸ、Ｙ、Ｚ方向の成分を多数持った電波ビームを実現することも可能である。
【図面の簡単な説明】
【０１０１】
【図１】本発明の第１の実施形態に係る自動吐水制御装置を備えた洗面台の一方の側面から見た斜視図。
【図２】図１のＡ−Ａ´線から見た洗面台要部の断面図。
【図３】本発明の第１の実施形態に係るマイクロ波センサから放射される電波ビームの放射方向が含む複数方向の成分に係わる説明図。
【図４】本発明の第１の実施形態に係るマイクロ波センサから放射される電波ビームの放射方向と、手の進入方向との関係を示す平面図。
【図５】本発明の第１の実施形態に係るマイクロ波センサから放射される電波ビームの放射方向と、手洗い動作との関係を示す平面図。
【図６】本発明の第１の実施形態に係るマイクロ波センサから放射される電波ビームの放射方向と、シンクの上方空間に進入する手の進入角度との関係を示す図１のＡ−Ａ´線から見た洗面台要部の断面図。
【図７】マイクロ波センサから放射される電波ビームの放射方向が持つ３次元のベクトル成分と、手の進入方向を示すベクトル成分との関係を示す説明図。
【図８】本発明の第１の実施形態に係る自動吐水制御装置を備えた洗面台の、トイレブース内での設置位置を示す要部平面図。
【図９】本発明の第１の実施形態に係る自動吐水制御装置を備えた洗面台の、トイレブース内での設置位置を示す要部平面図。
【図１０】本発明の第１の実施形態に係る自動吐水制御装置の電気回路部分の構成を示すブロック図。
【図１１】本発明の第１の実施形態に係わる電波センサの詳細を示すブロック図。
【図１２】図１、及び図２で示したマイクロ波センサからの電波ビームが、Ｘ、Ｙ、Ｚの３つのベクトル成分を有している場合の、マイクロ波センサから出力されるドップラ信号の波形図。
【図１３】本発明の第２の実施形態に係る自動吐水制御装置を備えた洗面台の一方の側面から見た斜視図。
【図１４】本発明の第２の実施形態に係るマイクロ波センサが備えるアンテナの構成を示す斜視図。
【図１５】図１４で示した構成のアンテナから放射される電波ビームの放射パターンを示す説明図。
【図１６】図１４で示した構成のアンテナから放射される電波ビームの放射パターンを示す説明図。
【図１７】パッチアンテナにおいて、基板上に配置されている２個の給電素子の配置と、これら２個の給電素子からの電波ビームの放射パターンとの関係を示す説明図。
【図１８】パッチアンテナにおける給電位相差による電波ビームの放射方向の変化を示す図。
【図１９】本発明の第３の実施形態に係る自動吐水制御装置を備えた洗面台の一方の側面から見た斜視図。
【図２０】本発明の第４の実施形態に係る自動吐水制御装置を備えた洗面台の一方の側面から見た斜視図。
【図２１】本発明に係る自動吐水制御装置を備えた洗面台と、従来の自動吐水制御装置を備えた洗面台との構成上の違いを示す説明図。
【図２２】本発明に係る自動吐水制御装置を備えた洗面台と、従来の自動吐水制御装置を備えた洗面台との構成上の違いを示す別の説明図。
【符号の説明】
【０１０２】
１  シンク
１ａ  水栓機構取付部
３  水栓機構
３ａ  機構本体
３ｂ  吐水部
３ｃ  吐水口
５  バルブ
７  電波センサ（マイクロ波センサ）
９  コントローラ部
１１  配水管
１５  マイクロ波センサ固定部材
３７、４５  便器装置
３９、４３  トイレブース
５１  マイクロ波アンテナ
５３  ドライバ回路
５５  発振回路
５７  分岐回路
５９  検波回路
６３  送信アンテナ
６５  受信アンテナ
６７  ドップラセンサ
【図１】
2006219889.tif 000003
【図２】
2006219889.tif 000004
【図３】
2006219889.tif 000005
【図４】
2006219889.tif 000006
【図５】
2006219889.tif 000007
【図６】
2006219889.tif 000008
【図７】
2006219889.tif 000009
【図８】
2006219889.tif 000010
【図９】
2006219889.tif 000011
【図１０】
2006219889.tif 000012
【図１１】
2006219889.tif 000013
【図１２】
2006219889.tif 000014
【図１３】
2006219889.tif 000015
【図１４】
2006219889.tif 000016
【図１５】
2006219889.tif 000017
【図１６】
2006219889.tif 000018
【図１７】
2006219889.tif 000019
【図１８】
2006219889.tif 000020
【図１９】
2006219889.tif 000021
【図２０】
2006219889.tif 000022
【図２１】
2006219889.tif 000023
【図２２】
2006219889.tif 000024